(57)【要約】　　　（修正有）【課題】外装材パネル裏面に浸入した雨水等を適切に止水及び排水し、かつ排水空間からの雨水の吹き込みを防止し、屋内側への漏水を回避する止水構造の提供。【解決手段】外装材パネル１裏面と下地材との間に空間部４を有する外装材構造の開口上側縁２の上部空間部に配置される止水材３であって、外装材パネル１側の高さが下地材側の高さよりも低くなる勾配を有し、外装材パネル１下端面とその下方に位置する開口上側縁２との間の隙間５をシーリング防水する止水構造であって、前記隙間５には部分的に排水空間７をもうける。【選択図】　図１
2004131941.tif 000002
【特許請求の範囲】
【請求項１】
外装材パネル裏面と下地材との間に空間部を有する外装材構造の開口上側縁の上部空間部に配置される止水材であって、外装材パネル側の高さが下地材側の高さよりも低くなる勾配を有することを特徴とする止水材。
【請求項２】
伸縮性を有することを特徴とする請求項１に記載の止水材。
【請求項３】
底面側に両面粘着テープと剥離紙とを貼着してなる請求項１又は２に記載の止水材。
【請求項４】
外装材パネル下端面とその下方に位置する開口上側縁との間の隙間をシーリング防水する止水構造であって、前記隙間には部分的に排水空間を設けることを特徴とする止水構造。
【請求項５】
排水空間部分に、排水溝を有する化粧部材を設置することを特徴とする請求項４に記載の止水構造。
【請求項６】
排水溝を有し、底面側に両面粘着テープと剥離紙とを貼着してなる排水用化粧部材。
【発明の詳細な説明】
【０００１】
【発明の属する技術分野】
本発明は、建物の外装構造に組み込まれる止水材及びそれを取付けた止水構造に関する。
【０００２】
【従来の技術】
従来、建物の開口上側縁を構成するにあたり、その止水構造は、例えば、特許第３２３７００９号や松下電工カタログＰ２１３（２００１）に提案されている。その従来の建物の外壁面を形成する開口上側縁の止水材及びその取付構造の一例を図５を用いて説明する。図５の（ａ）、（ｂ）は、それぞれ従来の止水構造を示している。図に示すように、これ等の止水構造では開口上側縁２の上部において外装材パネル１の下端部において開口上側縁２との隙間５を設け、５１ａのような直方体形状のものや５１ｂに示す丸型形状のバックアップ材を奥部へ介入させた後、通常はシーリング材等６が充填され、見栄えを良くするとともに隙間５からの雨水や埃塵等の浸入を防ぐようにしている。
【０００３】
そして、外装材パネル１と下地材７との間に設けられた空間４の連結部等から雨水が浸入した場合に備えて、隙間５において部分的に排水空間を設けることがある。
前述の特許第３２３７００９号の図１に記載されているように、防水シートに傾斜をもたせて雨水等を前面側に流下させる構成となっている場合もある。
【０００４】
しかしながら、これらの形状では外装材パネル１と下地材７の間の空間４へ外装材パネル１どうしの連結部等から雨水等が浸入した場合には、開口上側縁は地盤面に対し平行になっているため、流下した雨水が空間４内に滞留しやすいだけでなく、屋内側への漏水の問題等を発生させる可能性が高い。これらの問題は空間４を有しない構造であっても同様に発生する可能性が高い。
【０００５】
前述の止水材構成において雨水の滞留防止のために排水空間を設けることがあるが、バックアップ材形状が直方体形状５１ａや丸型形状５１ｂである限り、上記の課題を完全に解決するものではないだけでなく、排水空間から風雨の吹き込みが発生して、問題を増幅させることにもつながっている。
前述の特許第３２３７００９号の図１に記載されている防水シート６１に傾斜をもたせる構成（図６（ａ））であっても、最下部にバックアップ材５１ａや５１ｂがある限り、適切に雨水を排出させることは不可能であるだけでなく、破れやすい素材である防水シート６１を空間部に浮かせているため、その防水シート６１に穴が開いたり破れた際（図６（ｂ））は、更なる問題が発生する。
【０００６】
【特許文献１】
特許第３２３７００９号公報
【０００７】
【発明が解決しようとする課題】
本発明は、外装材パネル裏面に浸入した雨水等を適切に止水及び排水し、かつ排水空間からの雨水の吹き込みを防止し、屋内側への漏水を回避する止水構造およびこれに用いる止水材を提供することを目的とする。
【０００８】
【課題を解決するための手段】
本願発明者は、開口上側縁においての止水構造について検討の結果、雨水等を適切に止水及び排水し、かつ排水空間からの雨水の吹き込みを防止しうる、簡易な止水構造、止水材の知見を得、本発明を完成した。すなわち、本発明は下記の通りである。
１．外装材パネル裏面と下地材との間に空間部を有する外装材構造の開口上側縁の上部空間部に配置される止水材であって、外装材パネル側の高さが下地材側の高さよりも低くなる勾配を有することを特徴とする止水材。
２．伸縮性を有することを特徴とする１．に記載の止水材。
３．底面側に両面粘着テープと剥離紙とを貼着してなる１．又は２．に記載の止水材。
４．外装材パネル下端面とその下方に位置する開口上側縁との間の隙間をシーリング防水する止水構造であって、前記隙間には部分的に排水空間を設けることを特徴とする止水構造。
５．排水空間部分に、排水溝を有する化粧部材を設置することを特徴とする４．に記載の止水構造。
６．排水溝を有し、底面側に両面粘着テープと剥離紙とを貼着してなる排水用化粧部材。
【０００９】
本発明の止水材は、上記の如く構成したので、前面側（外装材パネル側）に勾配を有する簡単な構造であり、開口上側縁上部において上記止水材は容易に設置することが出来る。
また、本発明に係る止水構造は、上記の止水材を使用して簡易に止水を行う構造である。
【００１０】
【発明の実施の形態】
以下、本発明について、特にその好ましい態様を中心に、詳しく説明する。
本発明の止水材は、前面側（外装材パネル側）に勾配を有する簡単な構造であり、材質は適度な伸縮性を有することが好ましい。また、止水材底面側に両面粘着テープと剥離紙が貼着されていることが好ましい。
上記構成とすることにより、外装材パネルの取付けを行う際に発生する誤差や、地震等の振動により該外装材パネルにおいて上下方向に位置ずれ等が発生した場合においても、該外装材パネルを損傷させることなく性能を維持させることが可能である。
【００１１】
また、本発明の止水構造は、上記止水材を用い、外装材パネル下端面と開口上側縁との間の隙間にはシーリング材を充填する構造であるが、部分的に空間を設けるためシーリング材を充填しない部分を確保し、排水空間を確保することを特徴とする。
これにより、外装材パネルの裏面側に浸入した雨水は止水材が勾配を有することにより、排水空間から確実に外部へ排出することが可能となり、漏水等の問題がない。更に、風雨の吹き込みが発生した場合も、下地材側の高さは吹き込みに対し有効な高さを確保すれば、室内側へ浸入することなく浸入水は止水材の勾配部で食い止められ、風雨が静まった時点で勾配に沿って再度排水される構成となっている。
【００１２】
また、止水構造の施工は、該止水材を施工後に外装材パネルを施工し、外装材パネル施工後に外装材パネル下端面と開口上側縁との間の隙間にシーリング材を充填（部分的に充填をしない隙間部を設ける）することが好ましく、その際に発生する隙間部には美観上の観点から排水可能な溝を有した化粧部材を設けてもよい。また、その化粧部材は両面粘着テープと剥離紙が貼着されていることが好ましい。
【００１３】
図により本発明に係る止水材及びこれを用いた止水構造の一実施例を具体的に説明する。図１は本発明に係る止水材を用いた止水構造の例の構成を示す断面説明図、図２は図１の例の構成を示す斜視説明図である。
【００１４】
先ず、図１及び図２を用いて本発明に係る止水構造の例について説明する。図１及び図２において、３はＡＬＣ（軽量気泡コンクリート）パネル、押出成形パネル、窯業系サイディング材等の外装材パネル１と開口上側縁２上部との間に配設する止水材である。
開口上側縁２上に止水材３を配設し、外装材パネル１を張付けする。その後、外装材パネル１と開口上側縁２との間に設けた隙間５にシーリング材６を充填する。また、図２に示すようにシーリング材６充填箇所には部分的にシーリング材を充填しない排水空間７を設ける。
【００１５】
次に図３及び図４を用いて本発明に係る止水構造の例について説明する。図３は本発明の化粧部材８の例を示す図であり、図３の（Ａ）は化粧部材８の斜視図、図３の（Ｂ）は化粧部材の上面図、図３の（Ｃ）は化粧部材８の正面図、図３の（Ｄ）は化粧部材８の下面図、図３の（Ｅ）は化粧部材の側面図である。図４は別の止水構造の例を示す斜視説明図である。
【００１６】
図２の実施形態では、外装材パネル３と開口上側縁２との間に設けた隙間５に部分的にシーリング材を充填しない排水空間７を設けた一例であるが、本実施形態では、前記排水空間に排水可能な溝を有した化粧部材８を配設したものである。前記化粧部材８は下面に複数個の水溝９・１０を有しており止水材３を流下してきた雨水等は後面溝１０から入り、前面溝９から屋外に適切に排出することを可能としている。また、前記化粧部材８の上面には傾斜部１１を有しており、シーリング材の充填も可能である。
【００１７】
また、化粧部材の下地材側の一部には凸部１２が設けられている。これは、止水材の勾配に沿って流れてくる水を、化粧部材がせき止めない様に部分的に凸部を設け、図４に示す後面溝１０から前面溝９への水道を確保する為のものである。
これにより、簡易な形状の化粧部材で十分な排水機能を確保することができ、美観上の問題も解決することが出来る。
【００１８】
【発明の効果】
本発明は、上述の如き構成と作用を有するので、止水材を開口上側縁に配設するだけで外装材パネル裏面に浸入した雨水等を適切に排水することが出来、排水空間部分からの雨水の吹き込みを防ぐことも可能である。
また、排水空間部分において、排水可能な溝を有した化粧部材を取り付けることも可能であり、美観の確保も可能である。
本実施形態において、空間４を有している壁体構成について述べてきたが、空間４が実質的に無い場合でも、同様の効果を得ることが出来る。
【図面の簡単な説明】
【図１】止水構造の例を示す縦断面図である。
【図２】止水構造の例を示す斜視図である。
【図３】化粧部材の例を示す図であり、（Ａ）は斜視図、（Ｂ）は上面図、（Ｃ）は正面図、（Ｄ）は側面図、（Ｅ）は下面図である。
【図４】止水構造の別の例を示す図であり、（ａ）は斜視図、（ｂ）は止水材と化粧部材の側面図、（ｃ）は止水材と化粧部材の上面図である。
【図５】（ａ）、（ｂ）は従来技術の止水構造の例を示す縦断面図である。
【図６】（ａ）、（ｂ）は従来技術の問題点を説明する図である。
【符号の説明】
１・・・外装材パネル
２・・・開口上側縁
３・・・止水材
４・・・空間部
５・・・隙間
６・・・シーリング材
７・・・排水空間
８・・・化粧部材
９・・・前面溝
１０・・・後面溝
１１・・・傾斜部
１２・・・凸部
５１ａ・・・バックアップ材
５１ｂ・・・バックアップ材
６１・・・防水シート
【図１】
2004131941.tif 000003
【図２】
2004131941.tif 000004
【図３】
2004131941.tif 000005
【図４】
2004131941.tif 000006
【図５】
2004131941.tif 000007
【図６】
2004131941.tif 000008